(57)【要約】      （修正有）【課題】構造物への取り付けを迅速にできる簡易な構成のパイプ抱持バンド取付具を提供する。【解決手段】パイプ抱持バンド取付具１０は、構造物の表面に添設される基板部１１と、基板部１１の前方に突出した、パイプ抱持バンドを取り付ける取付部１２と、基板部１１の後方に突出した、構造物に直接ねじ込み取り付けされる雄ねじ体１３とを備えた構成とされる。【選択図】図１
2016084916.tif 000002
【特許請求の範囲】
【請求項１】
構造物の表面に添設される基板部と、該基板部の前方に突出した、パイプ抱持バンドを取り付ける取付部と、前記基板部の後方に突出した、前記構造物に直接ねじ込み取り付けされる雄ねじ体とを備えていることを特徴とするパイプ抱持バンド取付具。
【請求項２】
パイプ抱持バンドを取り付けるためのパイプ抱持バンド取付具を構造物に固定する、パイプ抱持バンド取付具の取付構造において、
前記パイプ抱持バンド取付具は、構造物の表面に添設される基板部と、該基板部の前方に突出した、前記パイプ抱持バンドを取り付ける取付部と、前記基板部の後方に突出した雄ねじ体とを備えており、
前記雄ねじ体が、前記構造物に穿設された穴部に直接ねじ込み取り付けされることを特徴とする、パイプ抱持バンド取付具の取付構造。
【発明の詳細な説明】
【技術分野】
【０００１】
本発明は、外壁などの構造物の表面に沿って配されるパイプを抱持するパイプ抱持バンドを取り付けるためのパイプ抱持バンド取付具およびパイプ抱持バンド取付具の取付構造に関する。
【背景技術】
【０００２】
この種のパイプ抱持バンド取付具は、それに一体となって形成された雄ねじ体を、構造物に埋設させたアンカー雌ねじに螺合することで取り付けを行う取付手法が一般的であった（たとえば、特許文献１の図５参照）。
【０００３】
この方法には、まずアンカー雌ねじ用の穴部を構造物の表面に穿設し、その穴部にアンカー雌ねじを埋め込み、そのアンカー雌ねじにパイプ抱持バンド取付具を取り付けるという一連の手順の実行が必要とされる。
【先行技術文献】
【特許文献】
【０００４】
【特許文献１】特開２００２−３１２６９号公報
【発明の概要】
【発明が解決しようとする課題】
【０００５】
このように、パイプ抱持バンド取付具の取り付けには複数手順が必要とされるため、取り付けたパイプ抱持バンド取付具にさらにパイプ抱持バンドを取り付けるとなると、それら１組を準備するだけでも時間を要する。さらにパイプを配設するためには、構造物の表面の複数個所にパイプ抱持バンド取付具およびパイプ抱持バンドを取り付けなければならないので、従来ではパイプ施工に多大なる時間を要していた。
【０００６】
本発明は、このような事情を考慮して提案されたもので、その目的は、構造物への取り付けを迅速にできる簡易な構成のパイプ抱持バンド取付具およびパイプ抱持バンド取付具の取付構造を提供することにある。
【課題を解決するための手段】
【０００７】
上記目的を達成するために、請求項１に記載のパイプ抱持バンド取付具は、構造物の表面に添設される基板部と、基板部の前方に突出した、パイプ抱持バンドを取り付ける取付部と、基板部の後方に突出した、構造物に直接ねじ込み取り付けされる雄ねじ体とを備えていることを特徴とする。
【０００８】
請求項２に記載のパイプ抱持バンド取付具の取付構造は、パイプ抱持バンドを取り付けるためのパイプ抱持バンド取付具を構造物に固定する、パイプ抱持バンド取付具の取付構造において、パイプ抱持バンド取付具は、構造物の表面に添設される基板部と、基板部の前方に突出した、パイプ抱持バンドを取り付ける取付部と、基板部の後方に突出した雄ねじ体とを備えており、雄ねじ体が、構造物に穿設された穴部に直接ねじ込み取り付けされることを特徴とする。
【発明の効果】
【０００９】
請求項１、２に記載の本発明によれば、上述の構成となっているため、構造物へのパイプ抱持バンド取付具の取り付けを従前の方法にくらべて時間短縮でき、その結果、パイプの配設を迅速に行うことができる。また、アンカー雌ねじを用いないので、パイプを配設するための部材の点数を少なくすることができる。
【図面の簡単な説明】
【００１０】
【図１】本発明の一実施形態に係るパイプ抱持バンド取付具の説明図である。（ａ）はパイプ抱持バンド取付具の斜視図、（ｂ）はパイプ抱持バンド取付具の雄ねじ体部分の拡大正面図である。
【図２】パイプ抱持バンドとパイプ抱持バンド取付具の取付状態を示す分解斜視図および縦断面図である。
【図３】（ａ）〜（ｃ）は、パイプ抱持バンド取付具の取付手順を示す縦断面図である。
【発明を実施するための形態】
【００１１】
以下に、本発明の実施の形態について、図１および図２にもとづいて説明する。まず、本実施形態に係るパイプ抱持バンド取付具１０の基本構成について記述する。なお、パイプ抱持バンド取付具１０における前、後の語句は、それが取り付けられる外壁２０（構造物）に対する前、後と一致したものとする。
【００１２】
本パイプ抱持バンド取付具１０は、コンクリートの外壁２０などの構造物の表面に添設される基板部１１と、基板部１１の前方に突出した、パイプ抱持バンド３０（図２参照）を取り付ける取付部１２と、基板部１１の後方に突出した、構造物に直接ねじ込み取り付けされる雄ねじ体１３とを備えている。
【００１３】
また、このパイプ抱持バンド取付具の取付構造は、雄ねじ体１３が、構造物に穿設された穴部２１に直接ねじ込み取り付けされる構造となっている。
【００１４】
ついで、パイプ抱持バンド取付具１０とその取付構造について詳細に説明する。
【００１５】
このパイプ抱持バンド取付具１０は、円形鍔状の基板部１１と、その前方に突出するように配された矩形板状の取付部１２と、後方に突出するように配された雄ねじ体１３とを有している。
【００１６】
パイプ抱持バンド取付具１０はステンレス等の金属よりなり、個別分離した各部材を溶接等で一体化して形成されている。
【００１７】
基板部１１は、上述したように、パイプ抱持バンド取付具１０を外壁２０に取り付けた際に外壁２０の表面に添設される部位であり、その中央には、前方の取付部１２と後方の雄ねじ体１３を連結し、前方に山形状に突出した突部１１ａが形成されている。つまり、基板部１１は後方より見れば鍋形状となっており、パイプ抱持バンド取付具１０が外壁２０に取り付けられた際に、基板部１１の外周の環状部１１ｂが外壁２０に接触するように形成されている。
【００１８】
取付部１２はパイプ抱持バンド３０を取り付ける部位であり、パイプ抱持バンド３０の取付片部３１、３１が取付部１２を挟持するようにして取り付け固定されるようになっている（図２参照）。この取付部１２には、一対の取付片部３１、３１をそれぞれ２箇所の挿通孔３１ａ、３１ａを通じて、ボルト３３、ナット３４で固定するための長孔１２ａが開設されている。
【００１９】
パイプ抱持バンド３０は、上記取付片部３１、３１を延出させた環状のバンド部３２を備えており、そのバンド部３２で竪樋などのパイプ３５を抱持できる構成となっている。なお、パイプ抱持バンド取付具１０の取付部１２の形状は本図例に示したものに限られず、種々のパイプ抱持バンド３０の形状、寸法に合致した種々の形状、寸法のものが許容される。
【００２０】
雄ねじ体１３は、基板部１１の突部１１ａの裏側に、裏側の内底面より後方に延びるように取り付けられている。雄ねじ体１３は、図１（ｂ）に示すように先端部１３ｄがテーパ状に尖り、軸部１３ａの全長に、高さに差がある２条のねじ山１３ｂ、１３ｃが等ピッチで交互に表れるように形成されている。
【００２１】
この雄ねじ体１３は、コンクリートに対して直接ねじ込まれるものであるため、そのねじ山１３ｂ、１３ｃのピッチは、従来使用していた、アンカー雌ねじに螺合するパイプ抱持バンド取付具の雄ねじ体のねじ山のピッチよりも大きく設定されている。また、高いほうのねじ山１３ｂは、コンクリートを潰しやすくするために、その角度θが６０度よりも小さい鋭利な形状とすることが望ましい。この雄ねじ体１３は、図２に示すように、外壁２０に穿設された穴部２１に対して直接ねじ込まれ、埋設されるようになっている（図２参照）。
【００２２】
パイプ抱持バンド取付具１０は、図３（ａ）〜（ｃ）に示した手順で外壁２０に取り付けられる。
【００２３】
図３（ａ）に示すように、まず、外壁２０に電動ドリル等で壁面に垂直な方向に、雄ねじ体１３の全長を埋設できる程度の穴部２１を穿設する。ついで、図３（ｂ）に示すように、パイプ抱持バンド取付具１０の雄ねじ体１３を穴部２１に差し込み、治具２５などを用いて直接ねじ込んでいく。治具２５としては、パイプ抱持バンド取付具１０の取付部１２の板面を両側より挟んだ状態で回転される電動のものを用いることが望ましい。そして、図３（ｃ）に示すように、基板部１１の環状部１１ｂの裏面が壁面に接触し、取付部１２の板面が水平方向を向くように、雄ねじ体１３を固くねじ込み、しっかりと外壁２０に固定する。
【００２４】
このように取り付けたパイプ抱持バンド取付具１０に、パイプ抱持バンド３０が取り付けられる（図２参照）。
【００２５】
このように、本パイプ抱持バンド取付具１０は、ねじ込みアンカーボルトのように、雄ねじ体１３を外壁２０などの構造物に対して直接ねじ込んで取り付ける取付構造となっているため、別体のアンカー雌ねじを用いなくてもよく、迅速なパイプ３５の施工を実施できる。パイプ３５を施工するためには、パイプ抱持バンド取付具とパイプ抱持バンドのセットを複数組必要とするから、全体として施工時間を格段に短縮させることができる。また、アンカー雌ねじを使用しないため、パイプ３５を配設するための部材の点数を少なくすることができ、その結果、コストの低減化および在庫管理の簡易化にもつながる。
【００２６】
以上に説明した本実施形態のパイプ抱持バンド取付具は、雄ねじ体が２条のねじ山を有した構成となっているが、１条のねじ山を有した構成であってもよい。すくなくともコンクリートなどの外壁２０の穴部２１にねじ込みできるねじ山を有したものであればよい。
【符号の説明】
【００２７】
１０              パイプ抱持バンド取付具
１１              基板部
１１ａ            突部
１１ｂ            環状部
１２              取付部
１２ａ            長孔
１３              雄ねじ体
１３ａ            軸部
１３ｂ、１３ｃ    ねじ山
１３ｄ            先端部
２０              外壁（構造物）
２１              穴部
２５              治具
３０              パイプ抱持バンド
３１              取付片部
３２              バンド部
３３              ボルト
３４              ナット
３５              パイプ
【図１】
2016084916.tif 000003
【図２】
2016084916.tif 000004
【図３】
2016084916.tif 000005
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
構造物の表面に添設される基板部と、該基板部の前方に突出した、パイプ抱持バンドを取り付ける取付部と、前記基板部の後方に突出した雄ねじ体とを備えており、
前記雄ねじ体は、軸部の全長に、高さに差がある２条のねじ山が交互に表れるように形成され、高いほうのねじ山が小さいほうのねじ山よりも鋭利に形成されており、前記構造物に穿設された、前記雄ねじ体の全長を埋設できる穴部に直接ねじ込み取り付けされることを特徴とするパイプ抱持バンド取付具。
【請求項２】
パイプ抱持バンドを取り付けるためのパイプ抱持バンド取付具を構造物に固定する、パイプ抱持バンド取付具の取付構造において、
前記パイプ抱持バンド取付具は、構造物の表面に添設される基板部と、該基板部の前方に突出した、前記パイプ抱持バンドを取り付ける取付部と、前記基板部の後方に突出した雄ねじ体とを備えており、
前記雄ねじ体は、軸部の全長に、高さに差がある２条のねじ山が交互に表れるように形成され、高いほうのねじ山が小さいほうのねじ山よりも鋭利に形成されており、前記構造物に穿設された、前記雄ねじ体の全長を埋設できる穴部に直接ねじ込み取り付けされることを特徴とする、パイプ抱持バンド取付具の取付構造。
【手続補正２】
【補正対象書類名】明細書
【補正対象項目名】０００７
【補正方法】変更
【補正の内容】
【０００７】
上記目的を達成するために、請求項１に記載のパイプ抱持バンド取付具は、構造物の表面に添設される基板部と、基板部の前方に突出した、パイプ抱持バンドを取り付ける取付部と、基板部の後方に突出した雄ねじ体とを備えており、雄ねじ体は、軸部の全長に、高さに差がある２条のねじ山が交互に表れるように形成され、高いほうのねじ山が小さいほうのねじ山よりも鋭利に形成されており、構造物に穿設された、雄ねじ体の全長を埋設できる穴部に直接ねじ込み取り付けされることを特徴とする。
【手続補正３】
【補正対象書類名】明細書
【補正対象項目名】０００８
【補正方法】変更
【補正の内容】
【０００８】
請求項２に記載のパイプ抱持バンド取付具の取付構造は、パイプ抱持バンドを取り付けるためのパイプ抱持バンド取付具を構造物に固定する、パイプ抱持バンド取付具の取付構造において、パイプ抱持バンド取付具は、構造物の表面に添設される基板部と、基板部の前方に突出した、パイプ抱持バンドを取り付ける取付部と、基板部の後方に突出した雄ねじ体とを備えており、雄ねじ体は、軸部の全長に、高さに差がある２条のねじ山が交互に表れるように形成され、高いほうのねじ山が小さいほうのねじ山よりも鋭利に形成されており、構造物に穿設された、雄ねじ体の全長を埋設できる穴部に直接ねじ込み取り付けされることを特徴とする。
【手続補正４】
【補正対象書類名】明細書
【補正対象項目名】００２１
【補正方法】変更
【補正の内容】
【００２１】
この雄ねじ体１３は、コンクリートに対して直接ねじ込まれるものであるため、そのねじ山１３ｂ、１３ｃのピッチは、従来使用していた、アンカー雌ねじに螺合するパイプ抱持バンド取付具の雄ねじ体のねじ山のピッチよりも大きく設定されている。また、高いほうのねじ山１３ｂは、コンクリートを潰しやすくするために、その角度θが６０度よりも小さく、小さいほうのねじ山１３ｃよりも鋭利な形状とされる。この雄ねじ体１３は、図２に示すように、外壁２０に穿設された穴部２１に対して直接ねじ込まれ、埋設されるようになっている（図２参照）。
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
パイプ抱持バンドを取り付けるためのパイプ抱持バンド取付具を構造物に固定する、パイプ抱持バンド取付具の取付構造において、
前記パイプ抱持バンド取付具は、構造物の表面に添設される鍋形状の基板部と、該基板部の前方に突出した、前記パイプ抱持バンドを取り付ける取付部と、前記基板部の後方に突出した雄ねじ体とを備えており、
前記基板部の外周部には、前記構造物に接触する環状部が形成されており、
前記雄ねじ体は、軸部の全長に、高さに差がある２条のねじ山が交互に表れるように形成され、高いほうのねじ山が小さいほうのねじ山よりも鋭利に、かつ山の角度が６０度よりも小さくなるように形成されており、前記構造物に穿設された、前記雄ねじ体の全長を埋設できる穴部に直接ねじ込んで、前記環状部の裏面が前記構造物の表面に接触した状態で前記取付部の板面が水平方向を向くように取り付けされることを特徴とする、パイプ抱持バンド取付具の取付構造。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
上記目的を達成するために、請求項１に記載のパイプ抱持バンド取付具の取付構造は、パイプ抱持バンドを取り付けるためのパイプ抱持バンド取付具を構造物に固定する、パイプ抱持バンド取付具の取付構造において、パイプ抱持バンド取付具は、構造物の表面に添設される鍋形状の基板部と、基板部の前方に突出した、パイプ抱持バンドを取り付ける取付部と、基板部の後方に突出した雄ねじ体とを備えており、基板部の外周部には、前記構造物に接触する環状部が形成されており、雄ねじ体は、軸部の全長に、高さに差がある２条のねじ山が交互に表れるように形成され、高いほうのねじ山が小さいほうのねじ山よりも鋭利に、かつ山の角度が６０度よりも小さくなるように形成されており、構造物に穿設された、雄ねじ体の全長を埋設できる穴部に直接ねじ込んで、環状部の裏面が構造物の表面に接触した状態で取付部の板面が水平方向を向くように取り付けされることを特徴とする。
【手続補正４】
【補正対象書類名】明細書
【補正対象項目名】００１７
【補正方法】変更
【補正の内容】
【００１７】
基板部１１は、上述したように、パイプ抱持バンド取付具１０を外壁２０に取り付けた際に外壁２０の表面に添設される部位であり、その中央には、前方の取付部１２と後方の雄ねじ体１３を連結し、前方に山形状に突出した突部１１ａが形成されている。つまり、基板部１１は後方より見れば鍋形状となっており、パイプ抱持バンド取付具１０が外壁２０に取り付けられた際に、基板部１１の外周部の環状部１１ｂが外壁２０に接触するように形成されている。